(57)【要約】【課題】ディスク状記録媒体の破損やディスク装置の故障を防止しつつ、小さい直径のディスク状記録媒体の挿入を確実に防止する上で有利なディスク装置を提供する。【解決手段】判別機構２０によって第１のレバー２２Ａの回転角度を検出することにより、挿入排出口１６に挿入されたディスク状記録媒体２が第１の直径を有する第１のディスク状記録媒体２Ａか、あるいは第１の直径よりも小さい直径の第２のディスク状記録媒体２Ｂかを判別する。この判別結果に基づいて第２のディスク状記録媒体２Ｂをディスク搬送機構１８によって挿入排出口１６から排出する。【選択図】図８
2011018389.tif 000002
【特許請求の範囲】
【請求項１】
筐体と、
前記筐体に設けられディスク状記録媒体の記録および／または再生を行う記録再生部と、
前記筐体に設けられディスク状記録媒体が挿入および排出されるディスク状記録媒体の直径よりも大きな幅を有する挿入排出口と、
前記筐体に設けられ前記挿入排出口と前記記録再生部との間でディスク状記録媒体を搬送するディスク搬送機構と、
前記挿入排出口に挿入されるディスク状記録媒体が第１の直径を有する第１のディスク状記録媒体か、あるいは前記第１の直径よりも小さい直径の第２のディスク状記録媒体かを判別する判別機構とを備え、
前記判別機構は、
前記筐体の内部で前記挿入排出口の幅方向の両側に設けられ前記挿入排出口に挿入される前記第１のディスク状記録媒体の外周部に当接する初期位置から前記第１のディスク状記録媒体の挿入により前記第１のディスク状記録媒体の径方向外側に第１の揺動角度に揺動しそれぞれレバー側係合部が形成された一対のレバーと、
前記一対のレバーの間で回転可能に支持され前記一対のレバーの各レバー側係合部に係合可能なギア部材側係合部がそれぞれ形成され互いに噛合する一対のギア部材と、
前記一対のレバーを前記初期位置の方向に付勢する付勢手段と、
前記一対のレバーに当接してそれらレバーの前記初期位置を決定するストッパと、
前記一対のレバーのうちの一方のレバーの回転角度が第１の角度に到達したことを検出する第１の検出手段と、
前記第１の検出手段の検出動作に基づいて前記ディスク搬送機構を制御する制御手段とを備え、
前記レバー側係合部と前記ギア部材側係合部とは前記初期位置において互いに係合しており、前記レバーの揺動により前記ギア部材が回転され、かつ、前記ギア部材の回転で前記ギア部材側係合部と前記レバー側係合部とが外れ前記ギア部材の回転および前記レバーの揺動を阻止するように構成され、
前記制御手段は、第１の検出手段により前記一方のレバーの回転角度が第１の角度に到達したことが検出されると、前記ディスク搬送機構により前記ディスク状記録媒体を前記記録再生部に搬送し、第１の検出手段により前記一方のレバーの回転角度が第１の角度に到達しないことが検出されると、前記ディスク搬送機構により前記ディスク状記録媒体を前記挿入搬出口に排出する、
ディスク装置。
【請求項２】
前記一対のレバーのうちの一方のレバーの回転角度が前記第１の角度よりも小さい第２の角度に到達したことを検出する第２の検出手段をさらに備え、
前記制御手段は、前記第２の検出手段により前記一方のレバーの回転角度が前記第２の角度に到達したことが検出されると、前記ディスク搬送機構による前記ディスク状記録媒体の搬送を開始し、
前記制御手段は、前記第２の検出手段の前記検出がなされた時点から予め定められた所定時間以内に前記第１の検出手段による前記検出がなされない場合に、前記ディスク搬送機構による前記ディスク状記録媒体の前記挿入搬出口への排出を実行する、
請求項１記載のディスク装置。
【請求項３】
前記ギア部材側係合部は、係合凸部で構成され、
前記レバー側係合部は、前記係合凸部に係合可能な係合凹部と、前記係合凹部に接続され前記係合凸部が乗り上がることで前記レバーの揺動中心と前記ギア部材の回転中心とを離す方向に付勢する傾斜面とで構成されている、
請求項１記載のディスク装置。
【請求項４】
前記一対のレバーは、前記挿入排出口の幅方向の中心を通り前記ディスク状記録媒体の搬入、排出方向を通る仮想線に対して左右対称の位置に配置され、
前記一対のギア部材は、前記仮想線に対して左右対称の位置に配置されている、
請求項１記載のディスク装置。
【請求項５】
前記ディスク搬送機構は、前記挿入排出口に対して前記ディスク状記録媒体を離間接近する方向に直線移動させる直線搬送と、前記記録再生部上で前記ディスク状記録媒体を昇降させる昇降搬送とを行い、
前記挿入排出口の近傍で前記挿入排出口から挿入される前記ディスク状記録媒体の上方の箇所に、前記直線搬送される前記ディスク状記録媒体に対して平行する支持プレートが配置され、
前記一対のレバーと前記一対のギア部材は前記支持プレートに支持されている、
請求項１記載のディスク装置。
【発明の詳細な説明】
【技術分野】
【０００１】
本発明はディスク状記録媒体に対して記録および／または再生を行うディスク装置に関する。
【背景技術】
【０００２】
従来から、ＣＤ（コンパクトディスク）などのディスク状記録媒体として、直径が１２ｃｍのもの（以下大径ディスクという）と、直径が８ｃｍのもの（以下小径ディスクという）とが用いられている。
また、ディスク状記録媒体に記録および／または再生を行うディスク装置として大径ディスクのみを使用可能とするものがある。
このように大径ディスクのみを使用するディスク装置が、スリット状の挿入排出口が筐体に設けられ、該挿入排出口を介してディスク状記録媒体が挿入および排出される、いわゆるスロットイン形式のディスク装置の場合、次の不都合がある。
すなわち、小径ディスクが誤って挿入排出口から挿入されてしまうと、小径ディスクが筐体内部から排出できなくなり、ディスク装置の故障や小径ディスクの破損を招くおそれがある。
そこで、ディスク状記録媒体の移送径路上にストッパを出没可能に設けたディス移送装置が提供されている（特許文献１参照）。
このディスク移送装置では、小径ディスクが挿入排出口に挿入された場合には、ストッパを移送径路上に突出させることで小径ディスクの挿入を阻止する。また、大径ディスクが挿入排出口に挿入された場合には、ストッパを移送径路上から退避させることで大径ディスクの挿入を許容する。
【先行技術文献】
【特許文献】
【０００３】
【特許文献１】特開平１１−１４９６８８号公報
【発明の概要】
【発明が解決しようとする課題】
【０００４】
しかしながら、上記従来装置では、小径ディスクがストッパに当接した状態で無理に小径ディスクを挿入排出口に押し込んだ場合、小径ディスクが破損したり、あるいは、ストッパが故障するおそれがある。
本発明はこのような事情に鑑みなされたものであり、その目的は、ディスク状記録媒体の破損やディスク装置の故障を防止しつつ、小さい直径のディスク状記録媒体の挿入を確実に防止する上で有利なディスク装置を提供することにある。
【課題を解決するための手段】
【０００５】
上述の目的を達成するため、本発明のディスク装置は、筐体と、前記筐体に設けられディスク状記録媒体の記録および／または再生を行う記録再生部と、前記筐体に設けられディスク状記録媒体が挿入および排出されるディスク状記録媒体の直径よりも大きな幅を有する挿入排出口と、前記筐体に設けられ前記挿入排出口と前記記録再生部との間でディスク状記録媒体を搬送するディスク搬送機構と、前記挿入排出口に挿入されるディスク状記録媒体が第１の直径を有する第１のディスク状記録媒体か、あるいは前記第１の直径よりも小さい直径の第２のディスク状記録媒体かを判別する判別機構とを備え、前記判別機構は、前記筐体の内部で前記挿入排出口の幅方向の両側に設けられ前記挿入排出口に挿入される前記第１のディスク状記録媒体の外周部に当接する初期位置から前記第１のディスク状記録媒体の挿入により前記第１のディスク状記録媒体の径方向外側に第１の揺動角度に揺動しそれぞれレバー側係合部が形成された一対のレバーと、前記一対のレバーの間で回転可能に支持され前記一対のレバーの各レバー側係合部に係合可能なギア部材側係合部がそれぞれ形成され互いに噛合する一対のギア部材と、前記一対のレバーを前記初期位置の方向に付勢する付勢手段と、前記一対のレバーに当接してそれらレバーの前記初期位置を決定するストッパと、前記一対のレバーのうちの一方のレバーの回転角度が第１の角度に到達したことを検出する第１の検出手段と、前記第１の検出手段の検出動作に基づいて前記ディスク搬送機構を制御する制御手段とを備え、前記レバー側係合部と前記ギア部材側係合部とは前記初期位置において互いに係合しており、前記レバーの揺動により前記ギア部材が回転され、かつ、前記ギア部材の回転で前記ギア部材側係合部と前記レバー側係合部とが外れ前記ギア部材の回転および前記レバーの揺動を阻止するように構成され、前記制御手段は、第１の検出手段により前記一方のレバーの回転角度が第１の角度に到達したことが検出されると、前記ディスク搬送機構により前記ディスク状記録媒体を前記記録再生部に搬送し、第１の検出手段により前記一方のレバーの回転角度が第１の角度に到達しないことが検出されると、前記ディスク搬送機構により前記ディスク状記録媒体を前記挿入搬出口に排出する。
【発明の効果】
【０００６】
本発明によれば、一方のレバーの回転角度を検出することにより、ディスク状記録媒体が第１の直径を有する第１のディスク状記録媒体か、あるいは第１の直径よりも小さい直径の第２のディスク状記録媒体かを判別するようにした。
そして、第２のディスク状記録媒体をディスク搬送機構によって挿入排出口から排出するようにした。
したがって、ディスク状記録媒体の破損やディスク装置の故障を防止しつつ、第１の直径よりも直径が小さいディスク状記録媒体の挿入を確実に防止できる。
【図面の簡単な説明】
【０００７】
【図１】本実施の形態のディスク装置１０の斜視図である。
【図２】本実施の形態のディスク装置１０の平面図である。
【図３】上板１２１２をディスク装置１０から取り外した図２のＡ矢視図である。
【図４】本実施の形態のディスク装置１０の制御系の構成を示すブロック図である。
【図５】第１のディスク状記録媒体２Ａの外周部が第１レバー２２Ａのピン２２０４Ａと第２レバー２２Ｂのピン２２０４Ｂに当接した状態を示す平面図である。
【図６】図５のＡ矢視図である。
【図７】図５のＢ矢視図である。
【図８】第２のディスク状記録媒体２Ｂの外周部が第１レバー２２Ａのピン２２０４Ａと第２レバー２２Ｂのピン２２０４Ｂとの双方に当接した状態を示す平面図である。
【図９】図８のＡ矢視図である。
【図１０】図８のＢ矢視図である。
【図１１】第２のディスク状記録媒体２Ｂの外周部が第１レバー２２Ａのピン２２０４Ａにのみ当接した状態を示す平面図である。
【図１２】図１１のＡ矢視図である。
【図１３】図１１のＢ矢視図である。
【図１４】第２のディスク状記録媒体２Ｂの外周部が第２レバー２２Ｂのピン２２０４Ｂにのみ当接した状態を示す平面図である。
【図１５】図１４のＡ矢視図である。
【図１６】図１４のＢ矢視図である。
【発明を実施するための形態】
【０００８】
次に、本発明の実施の形態について図１乃至図１６を参照して説明する。
本実施の形態では、ディスク装置１０が車載用のＣＤプレーヤー装置であり、ディスク状記録媒体２がオーディオ信号を記録したＣＤである場合について説明する。
図１乃至図３に示すように、ディスク装置１０は、筐体１２と、記録再生部１４と、挿入排出口１６と、ディスク搬送機構１８と、判別機構２０とを含んで構成されている。
【０００９】
図１乃至図３に示すように、筐体１２は、例えば、扁平な矩形板状を呈し、高さと、高さよりも大きな寸法の幅および長さを有している。
筐体１２は、矩形状の底板１２０２と、底板１２０２の前縁から起立された前板１２０４と、底板１２０２の後縁から起立された後板１２０６と、底板１２０２の左右両側から起立された左右の側板１２０８、１２１０とを有している。さらに、筐体１２は、前板１２０４、後板１２０６、側板１２０８、１２１０の上部を接続する上板１２１２とを有している。
【００１０】
記録再生部１４は、筐体１２に設けられディスク状記録媒体２の記録および／または再生を行うものであり、本実施の形態では、ディスク状記録媒体２に記録されているオーディオ信号を再生するものである。
記録再生部１４は、スピンドルモータ１００、光ピックアップ１０２、信号処理部１０４（図４）、制御部１０６（図４）などを含んで構成されている。
図４に示すように、スピンドルモータ１００は、ディスク状記録媒体２を回転駆動するものであり、ディスク状記録媒体２が装着されるターンテーブル１０８を有している。
光ピックアップ１０２は、スピンドルモータ１００により回転駆動されるディスク状記録媒体２の記録面に対して光ビームを照射し、記録面で反射された反射光ビームを検出することで記録面に記録されている情報を再生し再生信号を得るものである。
図２に示すように、光ピックアップ１０２は、送り機構１０３によりディスク状記録媒体２の半径方向（トラッキング方向）に移動される。
【００１１】
図４に示すように、信号処理部１０４は、光ピックアップ１０２から供給された再生信号に対してさまざまな信号処理を行うことにより、再生信号からオーディオ信号を生成するものである。
制御部１０６は、スピンドルモータ１００の回転制御、送り機構１０３による光ピックアップ１０２の移動制御などを行う。
また、制御部１０６は後述するように搬送モータ１８０２の回転制御を行う。
なお、図４において、符号１１０は信号処理部１０４から出力されるオーディオ信号を増幅して外部のスピーカーに供給する出力部を示す。
また、符号１１２は、記録再生部１４によるディスク状記録媒体２の再生にまつわる種々の操作を受け付ける操作部を示す。
また、符号１１４は、記録再生部１４の動作状態や操作部１１２に対してなされた操作内容を表示する表示部を示す。
【００１２】
図１、図２に示すように、挿入排出口１６は、筐体１２の前板１２０４に設けられディスク状記録媒体２が挿入および排出され、ディスク状記録媒体２の直径よりも大きな幅を有している。
【００１３】
図１、図４に示すように、ディスク搬送機構１８は、挿入排出口１６と記録再生部１４との間でディスク状記録媒体２を搬送するものである。
ディスク搬送機構１８は、ディスク状記録媒体２の直線搬送と昇降搬送とを行う。
直線搬送は、挿入排出口１６に対してディスク状記録媒体２を離間接近する方向に直線移動させる搬送である。この搬送により、ディスク状記録媒体２の挿入排出口１６からの引き込み動作とディスク状記録媒体２の挿入排出口１６への排出動作がなされる。
昇降搬送は、記録再生部１４上でディスク状記録媒体２を昇降させる搬送である。
図１、図２に示すように、ディスク搬送機構１８は、搬送モータ１８０２と、搬送ローラ１８０４と、不図示の駆動力伝達機構とを含んで構成されている。
駆動モータ１８０２は、制御部１０６の制御により正逆方向に回転されるものである。
搬送ローラ１８０４は、挿入排出口１６の近傍で挿入排出口１６の延在方向に平行して延在し、両端が不図示の搬送ローラ支持機構により回転可能に支持されている。
前記搬送ローラ支持機構は、搬送ローラ１８０４を、搬送位置と搬送位置よりも下方の退避位置とに上下移動させるように構成されている。
搬送位置は、搬送ローラ１８０４の外周面がディスク状記録媒体２の下面（光ピックアップ１０２側に位置する面）に接触する位置であり、退避位置は、搬送ローラ１８０４の外周面がディスク状記録媒体２の下面から下方に離間した位置である。
搬送ローラ１８０４の外周面は、ディスク状記録媒体２の下面に傷を付けることなく確実に搬送できるように、ディスク状記録媒体２よりも軟質で弾性を有し摩擦係数が高い材料で形成されている。このような材料としてゴムなどの従来公知のさまざまな材料が使用可能である。
搬送ローラ１８０４は、駆動モータ１８０２の駆動力が前記駆動力伝達機構を介して供給されることで正逆方向に回転される。
【００１４】
搬送ローラ１８０４は、搬送位置に位置し外周面が挿入排出口１６に挿入されたディスク状記録媒体２の下面に接触した状態で、正方向に回転することで挿入排出口１６に挿入されたディスク状記録媒体２を挿入排出口１６から記録再生部１４に搬送する。
また、搬送ローラ１８０４は、前記搬送位置に位置し外周面が挿入排出口１６に挿入されたディスク状記録媒体２の下面に接触した状態で、逆方向に回転することでディスク状記録媒体２を記録再生部１４から挿入排出口１６に搬送して挿入排出口１６から排出する。
【００１５】
なお、ディスク状記録媒体２がディスク搬送機構１８によって挿入排出口１６から記録再生部１４に搬送されターンテーブル１０８上に載置されると、不図示のチャッキング機構がターンテーブル１０８の上方から下降してディスク状記録媒体２を押さえつける。言い換えると、ディスク状記録媒体２は、前記のチャッキング機構によりチャッキングされる。
この場合、前記チャッキング機構の下降に連動して搬送ローラ１８０４は搬送位置から退避位置に下降し、搬送ローラ１８０４の外周面はディスク状記録媒体２の下面から離間する。
これにより、ディスク状記録媒体２は、ターンテーブル１０８と共に一体的に回転駆動され、光ピックアップ１０２による信号再生が可能な状態とされる。
また、信号再生が終了したディスク状記録媒体２を再生記録部１４から挿入排出口１６から取り出す場合には、前記チャッキング機構が上昇してディスク状記録媒体２が搬送可能な状態とされる。
この場合、前記チャッキング機構の上昇に連動して搬送ローラ１８０４は退避位置から搬送位置に上昇し、搬送ローラ１８０４の外周面はディスク状記録媒体２の下面に接触する。
次いで、ディスク状記録媒体２がディスク搬送機構１８によって記録再生部１４から挿入排出口１６に搬送され、筐体２の外部から取り出し可能な状態とされる。
なお、このようなディスク搬送機構１８やチャッキング機構には、従来公知のさまざまな構成が採用可能である。
【００１６】
判別機構２０は、挿入排出口１６に挿入されるディスク状記録媒体２が第１の直径を有する第１のディスク状記録媒体２Ａか、あるいは第１の直径よりも小さい直径の第２のディスク状記録媒体２Ｂかを判別するものである。
本実施の形態では、第１のディスク状記録媒体２Ａの第１の直径は１２ｃｍであり、第２のディスク状記録媒体２Ｂの直径が８ｃｍである場合について説明する。
【００１７】
図１、図２、図５乃至図７に示すように、判別機構２０は、一対のレバー２２と、一対のギア部材２４と、付勢手段２６と、ストッパ２８と、第１の検出手段３０と、前記の制御部１０６（制御手段に相当）とを備えている。
挿入排出口１６の近傍で挿入排出口１６から挿入されるディスク状記録媒体２の上方の箇所に、支持プレート３６が配置されている。
支持プレート３６は、挿入排出口１６の近傍で挿入排出口１６から挿入されるディスク状記録媒体２の上方の箇所に、直線搬送されるディスク状記録媒体２に対して平行して配置され、筐体１２で支持されている。
一対のレバー２２と、一対のギア部材２４と、付勢手段２６と、ストッパ２８と、第１の検出手段３０とは支持プレート３６で支持されている。
また、一対のレバー２２と、一対のギア部材２４と、第１の検出手段３０は、挿入排出口１６に挿入されるディスク状記録媒体２と平行する面上で、互いに重ならないように並べて配置されている。
一対のレバー２２は、挿入排出口１６の幅方向の中心を通り、ディスク状記録媒体２の搬入、排出方向を通る仮想線に対して左右対称の位置に配置されている。
一対のレバー２２は、第１のレバー２２Ａと第２のレバー２２Ｂとで構成されている。
【００１８】
図５、図６に示すように、第１のレバー２２Ａは、支持プレート３６上で挿入排出口１６の幅方向の一側に設けられている。
第１のレバー２２Ａは、基部が軸２２０２Ａを介して支持プレート３６上に揺動可能に支持されている。第１のレバー２２Ａの先部は支持プレート３６の前縁よりも前方に突出し、この先部に下方に向けてピン２２０４Ａが突設されている。
第１のレバー２２Ａの初期位置において、挿入排出口１６に挿入される第１のディスク状記録媒体２Ａの外周部にピン２２０４Ａが当接する。
そして、第１のレバー２２Ａは、使用者の手による第１のディスク状記録媒体２Ａの挿入により、挿入排出口１６の幅方向の一側方向で第１のディスク状記録媒体２Ａの径方向外側に第１の揺動角度で揺動する。
第１のレバー２２Ａの基部で第２のレバー２２Ｂの基部に対向する箇所に、レバー側係合部が形成されている。
レバー側係合部は、第１の係合凹部２２１０Ａと、第１の傾斜面２２１２Ａとで構成されている。
第１の係合凹部２２１０Ａは、後述する第１の係合凸部２４１０Ａに係合可能に形成されている。
図１４に示すように、第１の傾斜面２２１２Ａは、第１の係合凹部２２１０Ａに接続され第１の係合凸部２４１０Ａが乗り上がることで第１のレバー２２Ａの揺動中心と第１のギア部材２４Ａの回転中心とを離す方向に付勢するように形成されている。
【００１９】
図５、図６、図７に示すように、第２のレバー２２Ｂは、支持プレート３６上で挿入排出口１６の幅方向の他側に設けられている。
第２のレバー２２Ｂは、基部２２０２Ｂが軸を介して支持プレート３６上に揺動可能に支持されている。第２のレバー２２Ｂの先部は支持プレート３６の前縁よりも前方に突出し、この先部に下方に向けてピン２２０４Ｂが突設されている。
第２のレバー２２Ｂの初期位置において、挿入排出口１６に挿入される第１のディスク状記録媒体２Ａの外周部にピン２２０４Ｂが当接する。
そして、第２のレバー２２Ｂは、使用者の手による第１のディスク状記録媒体２Ａの挿入により、挿入排出口１６の幅方向の他側方向で第１のディスク状記録媒体２Ａの径方向外側に第１の揺動角度で揺動する。
第２のレバー２２Ｂの基部で第１のレバー２２Ａの基部に対向する箇所にレバー側係合部が形成されている。
レバー側係合部は、第２の係合凹部２２１０Ｂと、第２の傾斜面２２１２Ｂとで構成されている。
第２の係合凹部２２１０Ｂは、後述する第２の係合凸部２４１０Ｂに係合可能に形成されている。
図１１に示すように、第２の傾斜面２２１２Ｂは、第２の係合凹部２２１０Ｂに接続され第２の係合凸部２４１０Ｂが乗り上がることで第２のレバー２２Ｂの揺動中心と第２のギア部材２４Ｂの回転中心とを離す方向に付勢するように形成されている。
【００２０】
一対のギア部材２４は、一対のレバー２２の間で回転可能に支持プレート３６で支持され、互いに噛合している。
一対のギア部材２４は、挿入排出口１６の幅方向の中心を通り、ディスク状記録媒体２の搬入、排出方向を通る仮想線に対して左右対称の位置に配置されている。
一対のギア部材２４は、第１のギア部材２４Ａと第２のギア部材２４Ｂとで構成されている。
【００２１】
第１のギア部材２４Ａは、第１のレバー２２Ａと第２のレバー２２Ｂとの間で第１のレバー２２Ａ寄りに回転可能に支持されている。
第１のギア部材２４Ａには、ギア部材側係合部としての第１の係合凸部２４１０Ａが形成されている。
第２のギア部材２４Ｂは、第１のレバー２２Ａと第２のレバー２２Ｂとの間で第２のレバー２２Ｂ寄りに回転可能に支持されている。
第２のギア部材２４Ｂには、ギア部材側係合部としての第２の係合凸部２４１０Ｂが形成されている。
【００２２】
すなわち、レバー側係合部とギア部材側係合部とは初期位置において互いに係合している。そして、レバーの揺動によりギア部材が回転される。また、ギア部材の回転でギア部材側係合部とレバー側係合部とが外れギア部材の回転およびレバーの揺動を阻止するように構成されている。
より詳細に説明すると、第１の係合凹部２２１０Ａと第１の係合凸部２４１０Ａとは初期位置において互いに係合しており、第１のレバー２２Ａの揺動により第１のギア部材２４Ａが回転される。
また、第１のギア部材２４Ａの回転で第１の係合凸部２４１０Ａが第１の係合凹部２２１０Ａから外れる。そして、第１の係合凸部２４１０Ａの先部が、第１の傾斜面２２１２Ａに乗り上がり、第１のギア部材２４Ａの回転、第１のレバー２２Ａの揺動が阻止される。
また、第２の係合凹部２２１０Ｂと第２の係合凸部２４１０Ｂとは初期位置において互いに係合しており、第２のレバー２２Ｂの揺動により第２のギア部材２４Ｂが回転される。
また、第２のギア部材２４Ｂの回転で第２の係合凸部２４１０Ｂが第２の係合凹部２２１０Ｂから外れる。そして、第２の係合凸部２４１０Ｂの先部が、第２の傾斜面２２１２Ｂに乗り上がり、第２のギア部材２４Ｂの回転、第２のレバー２２Ｂの揺動が阻止される。
【００２３】
図５に示すように、付勢手段２６は、一対のレバー２２を初期位置の方向に付勢するものである。
付勢手段２６は、本実施の形態では、一対のレバー２２の基部に掛け渡されたばね部材により構成されている。
ストッパ２８は、一対のレバー２２に当接してそれらレバー２２の初期位置を決定するものである。
ストッパ２８は、支持プレート３６に膨出形成された壁部で構成されている。
ここで、一対のレバー２２の初期位置とは次の位置である。
すなわち、挿入排出口１６に挿入される第１のディスク状記録媒体２Ａの外周部にピン２２０４Ａ、２２０４Ｂが当接し、第１のディスク状記録媒体２Ａの挿入により一対のレバー２２が第１のディスク状記録媒体２Ａの径方向外側に揺動できる位置である。
【００２４】
第１の検出手段３０は、一対のレバー２２のうちの一方のレバー２２の回転角度が第１の角度に到達したことを検出するものである。本実施の形態では、第１のレバー２２Ａの回転角度が第１の角度に到達したことを検出するものである。
本実施の形態では、一方のレバー２２の回転角度が第１の揺動角度よりも小さい第２の角度に到達したことを検出する第２の検出手段３２をさらに備えている。
図５に示すように、第１の検出手段３０は、第１のレバー２２Ａの基部に設けられた第１の凸部２２２０によって押圧されることで接点がオン、または、オフするリミットスイッチで構成されている。
また、第２の第２の検出手段３２は、第１のレバー２２Ａの基部の第１の凸部２２２０とは位相が異なる箇所に設けられた第２の凸部２２２２によって押圧されることで接点がオン、または、オフするリミットスイッチで構成されている。
【００２５】
制御部１０６は、第１の検出手段３０の検出動作に基づいてディスク搬送機構１８を制御するものである。
制御部１０６は、第１の検出手段３０により一方のレバー２２（第１のレバー２２Ａ）の回転角度が第１の角度に到達しないことが検出されるとディスク搬送機構１８を制御して挿入排出口１６に挿入されるディスク状記録媒体２を挿入搬出口１６に排出する。
本実施の形態では、制御部１０６は、第２の検出手段３２により第２の角度に到達したことが検出されると、ディスク搬送機構１８を制御し、挿入排出口１６に挿入されたディスク状記録媒体２を記録再生部１４へ引き込み始める。
そして、制御部１０６は、第１のレバー２２Ａの回転角度が第２の角度に到達したことが検出された時点から予め定められた所定時間以内に、第１の検出手段３０により第１のレバー２２Ａの回転角度が第１の角度に到達したことが検出されたか否かを判定する。
この判定結果が肯定であれば、ディスク搬送機構１８によるディスク状記録媒体２の引き込みを継続し、ディスク状記録媒体２を記録再生部１４に搬送する。
また、上記の判定結果が否定であれば、ディスク搬送機構１８によるディスク状記録媒体２の引き込みを停止すると共に、ディスク搬送機構１８を制御して挿入排出口１６に挿入されたディスク状記録媒体２を挿入搬出口１６に排出する。
【００２６】
次に、判別機構２０の動作について詳細に説明する。
まず、第１のディスク状記録媒体２Ａを挿入搬出口１６に挿入した場合の判別機構２０の動作について図５、図６、図７を参照して説明する。
第１、第２のレバー２２Ａ、２２Ｂが初期位置に位置した状態で、第１のディスク状記録媒体２Ａを挿入搬出口１６に挿入すると、第１のディスク状記録媒体２Ａの外周部にピン２２０４Ａ、２２０４Ｂが当接する。
第１のディスク状記録媒体２Ａの挿入により第１、第２のレバー２２Ａ、２２Ｂが第１のディスク状記録媒体２Ａの径方向外側に揺動される。
第１のレバー２２Ａの揺動により、第１のギア部材２４Ａが回転される。また、第２のレバー２２Ｂの揺動により、第２のギア部材２４Ｂが回転される。
したがって、互いに噛合した第１のギア部材２４Ａ、第２のギア部材２４Ｂは同期して互いに反対の方向に回転する。
【００２７】
第２の検出手段３２により第１のレバー２２Ａの回転角度が第２の回転角度に到達したことが検出されると、制御部１０６はディスク搬送機構１８を制御して第１のディスク状記録媒体２Ａの引き込みを開始する。
第１のディスク状記録媒体２Ａが引き込まれることにより、さらに第１のレバー２２Ａが揺動される（図５）。そして、第１の検出手段３０により第１のレバー２２Ａの回転角度が第１の回転角度に到達したことが検出される。
すると、制御部１０６はディスク搬送機構１８を制御して第１のディスク状記録媒体２Ａの引き込みを継続し、第１のディスク状記録媒体２Ａを記録再生部１４に搬送する。
記録再生部１４に搬送された第１のディスク状記録媒体２Ａは、ターンテーブル１０８に載置され、前記のチャッキング機構でチャッキングされ、第１のディスク状記録媒体２Ａに対する再生動作が実行される。
【００２８】
次に、第１のディスク状記録媒体２Ａよりも直径が小さい第２のディスク状記録媒体２Ｂを挿入搬出口１６に挿入した場合の判別機構２０の動作について説明する。
第２のディスク状記録媒体２Ｂを挿入搬出口１６の幅方向の中央に挿入する場合、挿入搬出口１６の幅方向の一方寄りに挿入する場合、挿入搬出口１６の幅方向の他方寄りに挿入する場合の３通りが考えられる。
【００２９】
まず、第２のディスク状記録媒体２Ｂを挿入搬出口１６の幅方向の中央に挿入する場合の動作について図８乃至図１０を参照して説明する。
第１、第２のレバー２２Ａ、２２Ｂが初期位置に位置した状態で、第２のディスク状記録媒体２Ｂを挿入搬出口１６の中央に挿入すると、第２のディスク状記録媒体２Ｂの外周部にピン２２０４Ａ、２２０４Ｂの双方が当接する。
第２のディスク状記録媒体２Ｂの挿入により第１、第２のレバー２２Ａ、２２Ｂが第２のディスク状記録媒体２Ｂの径方向外側に揺動される。
第１のレバー２２Ａの揺動により、第１のギア部材２４Ａが回転される。また、第２のレバー２２Ｂの揺動により、第２のギア部材２４Ｂが回転される。
したがって、互いに噛合した第１のギア部材２４Ａ、第２のギア部材２４Ｂは同期して反対の方向に回転する。
【００３０】
第２の検出手段３２により第１のレバー２２Ａの回転角度が第２の回転角度に到達したことが検出されると、制御部１０６はディスク搬送機構１８を制御して第２のディスク状記録媒体２Ｂの引き込みを開始する。
ここで、第２のディスク状記録媒体２Ｂが引き込まれるが、第２のディスク状記録媒体２Ｂの直径は第１のディスク状記録媒体２Ａの第１の直径よりも小さいため、第１のレバー２２Ａの揺動角度は第１の回転角度に到達しない。
すなわち、第１のレバー２２Ａの回転角度が第２の回転角度に到達したことが検出された時点から前記所定時間以内に第１の検出手段３０によって第１のレバー２２Ａの回転角度が第１の回転角度に到達したことは検出されない。
したがって、制御部１０６はディスク搬送機構１８を制御して第２のディスク状記録媒体２Ｂの引き込みを停止し、第２のディスク状記録媒体２Ｂを挿入排出口１６に排出する。
【００３１】
次に、第２のディスク状記録媒体２Ｂを挿入搬出口１６の幅方向の一方寄り（左寄り）に挿入する場合の動作について図１１乃至図１３を参照して説明する。
第１、第２のレバー２２Ａ、２２Ｂが初期位置に位置した状態で、第２のディスク状記録媒体２Ｂを挿入搬出口１６の幅方向のうち左寄りに挿入すると、第２のディスク状記録媒体２Ｂの外周部に第１のレバー２２Ａのピン２２０４Ａのみが当接する。
第２のディスク状記録媒体２Ｂの挿入により第１のレバー２２Ａが第２のディスク状記録媒体２Ｂの径方向外側に揺動される。
一方、第２のレバー２２Ｂのピン２２０４Ｂは、第２のディスク状記録媒体２Ｂの外周部に当接しない。そのため、第２のディスク状記録媒体２Ｂが挿入されてもピン２２０４Ｂを介して第２のレバー２２Ｂは揺動せず、第２のレバー２２Ｂはギア部材２４Ａ、２４Ｂを介して揺動される。
第２の検出手段３２により第１のレバー２２Ａの回転角度が第２の回転角度に到達したことが検出されると、制御部１０６はディスク搬送機構１８を制御して第２のディスク状記録媒体２Ｂの引き込みを開始する。
ここで、第１のレバー２２Ａの揺動により、第１のギア部材２４Ａが回転される。
また、第２のギア部材２４Ｂは第１のギア部材２４Ａに追従して反対の方向に回転される。
【００３２】
図１１に示すように、第２のギア部材２４Ｂが回転することによって第２の係合凸部２４１０Ｂに追従して第２の係合凹部２２１０Ｂが動かされ、したがって、第２のレバー２２Ｂも揺動される。
しかしながら、さらなる第２のギア部材２４Ｂの回転によって、第２の係合凸部２４１０Ｂは第２の係合凹部２２１０Ｂから外れて第２の傾斜面２２１２Ｂに乗り上がる。これにより、第２のギア部材２４Ｂのそれ以上の回転と第２のレバー２２Ｂの揺動が阻止される。
その結果、第１のギア部材２４Ａの回転も阻止され、これにより第１のレバー２２Ａの揺動も阻止される。
そのため、第１のレバー２２Ａの揺動角度は第１の回転角度に到達しない。
すなわち、第１のレバー２２Ａの回転角度が第２の回転角度に到達したことが検出された時点から前記所定時間以内に、第１の検出手段３０によって第１のレバー２２Ａの回転角度が第１の回転角度に到達したことは検出されない。
したがって、制御部１０６はディスク搬送機構１８を制御して第２のディスク状記録媒体２Ｂの引き込みを停止し、第２のディスク状記録媒体２Ｂを挿入排出口１６に排出する。
【００３３】
次に、第２のディスク状記録媒体２Ｂを挿入搬出口１６の幅方向の他方寄り（右寄り）に挿入する場合の動作について図１４乃至図１６を参照して説明する。
第１、第２のレバー２２Ａ、２２Ｂが初期位置に位置した状態で、第２のディスク状記録媒体２Ｂを挿入搬出口１６の幅方向のうち右寄りに挿入すると、第２のディスク状記録媒体２Ｂの外周部に第２のレバー２２Ｂのピン２２０４Ｂのみが当接する。
第２のディスク状記録媒体２Ｂの挿入により第２のレバー２２Ｂが第２のディスク状記録媒体２Ｂの径方向外側に揺動される。
一方、第１のレバー２２Ａのピン２２０４Ａは、第２のディスク状記録媒体２Ｂの外周部に当接していない。そのため、第２のディスク状記録媒体２Ｂが挿入されてもピン２２０４Ａを介して第１のレバー２２Ａは揺動されず、第１のレバー２２Ａはギア部材２４Ａ、２４Ｂを介して揺動される。
第２の検出手段３２により第１のレバー２２Ａの回転角度が第２の回転角度に到達したことが検出されると、制御部１０６はディスク搬送機構１８を制御して第２のディスク状記録媒体２Ｂの引き込みを開始する。
第２のレバー２２Ｂの揺動により、第２のギア部材２４Ｂが回転される。
また、第１のギア部材２４Ａは第２のギア部材２４Ｂに追従して反対の方向に回転される。
【００３４】
図１４に示すように、第１のギア部材２４Ａが回転することによって第１の係合凸部２４１０Ａに追従して第１の係合凹部２２１０Ａが動かされ、したがって、第１のレバー２２Ａも揺動される。
しかしながら、さらなる第１のギア部材２４Ａの回転によって、第１の係合凸部２４１０Ａは第１の係合凹部２２１０Ａから外れて第１の傾斜面２２１２Ａに乗り上がる。これにより、第１のギア部材２４Ａのそれ以上の回転と第１のレバー２２Ａの揺動が阻止される。
また、第２のギア部材２４Ｂの回転も阻止され、これにより第２のレバー２２Ｂの揺動も阻止される。
そのため、第１のレバー２２Ａの揺動角度は第１の回転角度に到達しない。
すなわち、第１のレバー２２Ａの回転角度が第２の回転角度に到達したことが検出された時点から前記所定時間以内に、第１の検出手段３０によって第１のレバー２２Ａの回転角度が第１の回転角度に到達したことは検出されない。
したがって、制御部１０６はディスク搬送機構１８を制御して第２のディスク状記録媒体２Ｂの引き込みを停止し、第２のディスク状記録媒体２Ｂを挿入排出口１６に排出する。
【００３５】
本実施の形態によれば、一方のレバーの回転角度を検出することにより、ディスク状記録媒体２が第１の直径を有する第１のディスク状記録媒体２Ａか、あるいは第１の直径よりも小さい直径の第２のディスク状記録媒体２Ｂかを判別するようにした。
そして、第２のディスク状記録媒体２Ｂをディスク搬送機構１８によって挿入排出口１６から排出するようにした。
したがって、従来のようにディスク状記録媒体の移送径路上にストッパを出没させる構成に比較して、ディスク状記録媒体の破損やディスク装置の故障を防止しつつ、第１の直径よりも直径が小さい第２のディスク状記録媒体２Ｂの挿入を確実に防止できる。
【００３６】
また、本実施の形態では、一対のレバー２２と、一対のギア部材２４と、第１の検出手段３０とを用いて判別機構１８を構成した。
このような構成であるから、それらの部材は、挿入排出口１６に挿入されるディスク状記録媒体２と平行する面上で、互いに重ならないように並べて配置することが可能となる。
そのため、判別機構２０の薄型化を図れ、ディスク装置１０の薄型化を図る上でより一層有利となる。
また、一対のレバー２２が厚さ方向において互いに重なり合った場合には、一方のレバー２２が厚さ方向に変形すると、他方のレバー２２の揺動動作を阻害する不都合が懸念される。本実施の形態によれば、一対のレバー２２が互いに重ならないように配置されているので、そのような不都合を回避する上で有利となる。
【００３７】
また、第２の検出手段３２を設けるとさらに次の効果が奏される。
判別機構２０は、ディスク状記録媒体２の直径の如何に拘わらず、挿入排出口１６に手によって挿入されたディスク状記録媒体２をディスク搬送機構１８により筐体１２の内部にいったん引き込む。
そして、使用者が判断するのではなく、筐体１２の内部で自動的に判断され、第１の直径よりも小さい直径の第２のディスク状記録媒体２Ｂは挿入排出口１６から自動的に排出される。
すなわち、第１の直径よりも直径が小さいディスク状記録媒体２Ｂの挿入を確実に防止する上で有利となる。
したがって、従来のようにディスク状記録媒体の移送径路上にストッパを出没させ、人の手に伝わる感触でディスク状記録媒体２の大きさを判断する必要が無くなり、ディスク状記録媒体２の破損やディスク装置の故障を防止する上で有利となる。
【００３８】
なお、実施の形態では、ディスク装置１０がＣＤプレーヤー装置である場合について説明したが、本発明は、ディスク状記録媒体２に記録および／または再生を行うディスク装置に広く適用可能である。
また、本実施の形態では、第１のディスク状記録媒体２Ａが直径１２ｃｍのディスク状記録媒体であり、第２のディスク状記録媒体２Ｂが直径８ｃｍのディスク状記録媒体である場合について説明した。しかしながら、本発明は、ディスク状記録媒体の直径に限定されるものではなく、直径の異なる２種類のディスク状記録媒体の挿脱に広く適用されるものである。
【符号の説明】
【００３９】
２Ａ……第１のディスク状記録媒体、２Ｂ……第２のディスク状記録媒体、１０……ディスク装置、１２……筐体、１４……記録再生部、１６……挿入排出口、１８……ディスク搬送機構、２０……判別機構、２２……一対のレバー、２２１０Ａ、２２１０Ｂ……係合凹部、２４……一対のギア部材、２４１０Ａ、２４１０Ｂ……係合凸部、２６……付勢手段、２８……ストッパ、３０……第１の検出手段、１０６……制御部（制御手段）。
【図１】
2011018389.tif 000003
【図２】
2011018389.tif 000004
【図３】
2011018389.tif 000005
【図４】
2011018389.tif 000006
【図５】
2011018389.tif 000007
【図６】
2011018389.tif 000008
【図７】
2011018389.tif 000009
【図８】
2011018389.tif 000010
【図９】
2011018389.tif 000011
【図１０】
2011018389.tif 000012
【図１１】
2011018389.tif 000013
【図１２】
2011018389.tif 000014
【図１３】
2011018389.tif 000015
【図１４】
2011018389.tif 000016
【図１５】
2011018389.tif 000017
【図１６】
2011018389.tif 000018